(57)【要約】【課題】  安価な構造で表示パネルを繰り返し回動させても長期にわたって所定の傾斜角度で保持できるようにすること。【解決手段】  ディスクＤ用ターンテーブル１及び光ピックアップ２を備えた装置本体３と液晶ディスプレイ４付き表示パネル５とが支軸１４を介して二つ折り状に回動可能に連結されたディスク装置であって、装置本体３と表示パネル５との間にウォームギア機構１５が設けられており、前記表示パネル５が支軸１４を中心に回動してウォームギア機構１５を形成するウォームホイール１５Ａとウォームギア１５Ｂとの摩擦力で所定の傾斜角度を保持するようにした。【選択図】        図１
2006018960.tif 000002
【特許請求の範囲】
【請求項１】
ディスク用ターンテーブル及び光ピックアップを備えた装置本体と液晶ディスプレイ付
き表示パネルとがトルクヒンジを介して二つ折り状に回動可能に連結されたディスク装置
において、前記トルクヒンジに代えてウォームギア機構が用いられており、該ウォームギ
ア機構は、装置本体と表示パネルとの後部どうしを回動可能に連結する支軸に同心状に設
けられてその表示パネルに止着された左右一対のウォームホイールと、装置本体内に回転
可能に配置されて各ウォームホイールに噛合する左右一対のウォームギアとからなり、該
各ウォームギアの進み角が１７°〜２５°（好ましくは２０°〜２２°）に設定されると
共に、その進み角に対応してウォームホイールの捩じれ角が設定されており、前記表示パ
ネルが支軸を中心に回動して各ウォームホイールと各ウォームギアとの摩擦力で所定の傾
斜角度で保持されるようにしたことを特徴とするディスク装置。
【請求項２】
ディスク用ターンテーブル及び光ピックアップを備えた装置本体と液晶ディスプレイ付
き表示パネルとが支軸を介して二つ折り状に回動可能に連結されたディスク装置であって
、装置本体と表示パネルとの間にウォームギア機構が設けられており、前記表示パネルが
支軸を中心に回動してウォームギア機構を形成するウォームホイールとウォームギアとの
摩擦力で所定の傾斜角度で保持されるようにしたことを特徴とするディスク装置。
【請求項３】
前記ウォームホイールとウォームギアとがそれぞれ左右一対設けられ、該各ウォームホ
イールが前記支軸と同心状態で前記表示パネルに止着され、前記各ウォームギアが装置本
体内に回転可能に配置されて各ウォームホイールに噛合されていることを特徴とする請求
項２に記載のディスク装置。
【請求項４】
前記各ウォームギアの進み角が１７°〜２５°（好ましくは２０°〜２２°）に設定さ
れると共に、その進み角に対応してウォームホイールの捩じれ角が設定されていることを
特徴とする請求項３に記載のディスク装置。
【発明の詳細な説明】
【技術分野】
【０００１】
本発明は、例えばＤＶＤプレーヤなどのディスク装置に関し、特に、液晶ディスプレイ
付き表示パネルが所定の傾斜角度で保持されるようにしたものである。
【背景技術】
【０００２】
従来、ＤＶＤプレーヤの技術として特許文献１などに記載したものがあり、その一例を
図６に基づいて説明すると、これは、ディスクＤ用ターンテーブル１及び光ピックアップ
２を備えた装置本体３と液晶ディスプレイ４付き表示パネル５とがトルクヒンジ６を介し
て二つ折り状に回動可能に連結されたものである。なお、１ａはターンテーブル１を高速
回転させるためのスピンドルモータ、７は開閉蓋、８は開閉蓋７の開閉操作釦、９は各種
操作釦、１０は電源釦である。
【０００３】
上記構成において、トルクヒンジ６を中心に表示パネル５を回動させて所定の傾斜角度
で起立させ、開閉操作釦８を操作して開閉蓋７を開放し、ターンテーブル１にディスクＤ
をセットすると共に、電源釦１０をオン状態とし、各種操作釦を操作することにより、ス
ピンドルモータ１ａによりターンテーブル１を介してディスクＤを高速回転させ、該ディ
スクＤに記録されている映像を光ピックアップ２で読み取って液晶ディスプレイ４に再生
する。
【０００４】
前記トルクヒンジ６は、金属シャフトと複数の弾性リングやばねなどとを組み合わせて
所定のトルクを発生させたものであって、そのトルクに抗して表示パネル５を回動させる
と共に、該表示パネル５が所定の傾斜角度で不測に倒れないように保持される。
【特許文献１】特開２００１−２０２７６３号公報
【発明の開示】
【発明が解決しようとする課題】
【０００５】
上記従来の構成では、トルクヒンジ６を形成する部品の点数が多く、その各部品の組立
に時間と手間とがかかり、製作費が高くつく。また、表示パネル５を長期に渡って繰り返
し回動させることにより、トルクヒンジ６のトルクが低下しやすく、表示パネル５が所定
の傾斜角度を保持できなくなって不測に倒れることがある。
【０００６】
本発明は、上記従来の欠点に鑑み、安価な構造で表示パネルを繰り返し回動させても長
期にわたって所定の傾斜角度で保持できるようにしたディスク装置を提供することを目的
としている。
【課題を解決するための手段】
【０００７】
上記目的を達成するため、請求項１に記載の発明は、ディスク用ターンテーブル及び光
ピックアップを備えた装置本体と液晶ディスプレイ付き表示パネルとがトルクヒンジを介
して二つ折り状に回動可能に連結されたディスク装置において、前記トルクヒンジに代え
てウォームギア機構が用いられており、該ウォームギア機構は、装置本体と表示パネルと
の後部どうしを回動可能に連結する支軸に同心状に設けられてその表示パネルに止着され
た左右一対のウォームホイールと、装置本体内に回転可能に配置されて各ウォームホイー
ルに噛合する左右一対のウォームギアとからなり、該各ウォームギアの進み角が１７°〜
２５°（好ましくは２０°〜２２°）に設定されると共に、その進み角に対応してウォー
ムホイールの捩じれ角が設定されており、前記表示パネルが支軸を中心に回動して各ウォ
ームホイールと各ウォームギアとの摩擦力で所定の傾斜角度で保持されるようにしたこと
を特徴としている。
【０００８】
請求項２に記載の発明は、ディスク用ターンテーブル及び光ピックアップを備えた装置
本体と液晶ディスプレイ付き表示パネルとが支軸を介して二つ折り状に回動可能に連結さ
れたディスク装置であって、装置本体と表示パネルとの間にウォームギア機構が設けられ
ており、前記表示パネルが支軸を中心に回動してウォームギア機構を形成するウォームホ
イールとウォームギアとの摩擦力で所定の傾斜角度で保持されるようにしたことを特徴と
している。
【０００９】
請求項３に記載の発明は、請求項２に記載の発明において、前記ウォームホイールとウ
ォームギアとがそれぞれ左右一対設けられ、該各ウォームホイールが前記支軸と同心状態
で前記表示パネルに止着され、前記各ウォームギアが装置本体内に回転可能に配置されて
各ウォームホイールに噛合されていることを特徴としている。
【００１０】
請求項４に記載の発明は、請求項３に記載の発明において、前記各ウォームギアの進み
角が１７°〜２５°（好ましくは２０°〜２２°）に設定されると共に、その進み角に対
応してウォームホイールの捩じれ角が設定されていることを特徴としている。
【発明の効果】
【００１１】
請求項１に記載の発明は実施の一形態（図１〜図５参照）に対応するものであって、こ
れによれば、表示パネルを所定の傾斜角度で保持するためにウォームギア機構を用いてお
り、その部品点数が少なく、しかも、表示パネルを装置本体に支軸を介して連結する際に
、ウォームギア機構のウォームホイールとウォームギアとを互いに噛合させるだけでよい
から、その組立作業を迅速容易に行うことができ、製作費が安くつく。
【００１２】
また、ウォームホイールとウォームギアとを面接触させて摩擦力を発生させているので
、表示パネルを長期にわたって繰り返し回動させても、その両者間の摩擦力がほぼ一定に
維持されてほとんど低下しないから、表示パネルを長期にわたって所定の傾斜角度で保持
して不測に倒れないようにすることができる。
【００１３】
更に、左右一対のウォームホイールとウォームギアとにより表示パネルが両側から挟ま
れているので、その表示パネルを支軸回りで円滑に回動させることができると共に、その
表示パネル５が所定の傾斜角度で安定して保持される。
【００１４】
前記各ウォームギアの進み角が１７°未満では、ウォームホイールとウォームギアとの
間の摩擦力が大きくなるので、表示パネルを所定の傾斜角度で保持して不測に倒れないよ
うにすることができるが、表示パネルを回動させるのに大きな力が必要となりその回動操
作が面倒である。
【００１５】
前記各ウォームギアの進み角が２５°を超える場合には、ウォームホイールとウォーム
ギアとの間の摩擦力が小さいので、表示パネルを小さな力で容易に回動させることができ
るが、表示パネルを長期に渡って繰り返し回動させることにより、摩擦力が低下して、所
定の傾斜角度まで回動させた表示パネルが不測に倒れてその所定の傾斜角度を保持できな
くなるおそれがある。
【００１６】
そこで、本発明では、各ウォームギアの進み角が１７°〜２５°（好ましくは２０°〜
２２°）に設定されると共に、その進み角に対応してウォームホイールの捩じれ角が設定
されるようにしており、これによって、表示パネルを比較的小さな力で容易に回動させる
ことができると共に、その表示パネルが所定の傾斜角度を保持して不測に倒れないように
することができる。
【００１７】
請求項２に記載の発明は基本形態に対応するものであって、これによれば、表示パネル
を所定の傾斜角度で保持するためにウォームギア機構を用いており、その部品点数が少な
く、しかも、表示パネルを装置本体に支軸を介して連結する際に、ウォームギア機構のウ
ォームホイールとウォームギアとを互いに噛合させるだけでよいから、その組立作業を迅
速容易に行うことができ、製作費が安くつく。
【００１８】
また、ウォームホイールとウォームギアとを面接触させて摩擦力を発生させているので
、表示パネルを長期にわたって繰り返し回動させても、その両者間の摩擦力がほぼ一定に
維持されてほとんど低下しないから、表示パネルを長期にわたって所定の傾斜角度で保持
して不測に倒れないようにすることができる。
【００１９】
請求項３に記載の発明によれば、左右一対のウォームホイールとウォームギアとにより
表示パネルが両側から挟まれているので、その表示パネルを支軸回りで円滑に回動させる
ことができると共に、その表示パネル５が所定の傾斜角度で安定して保持される。
【００２０】
請求項４に記載の発明において、各ウォームギアの進み角が１７°未満では、ウォーム
ホイールとウォームギアとの間の摩擦力が大きくなるので、表示パネルを所定の傾斜角度
で保持して不測に倒れないようにすることができるが、表示パネルを回動させるのに大き
な力が必要となりその回動操作が面倒である。
【００２１】
前記各ウォームギアの進み角が２５°を超える場合には、ウォームホイールとウォーム
ギアとの間の摩擦力が小さいので、表示パネルを小さな力で容易に回動させることができ
るが、表示パネルを長期に渡って繰り返し回動させることにより、摩擦力が低下して、所
定の傾斜角度まで回動させた表示パネルが不測に倒れてその所定の傾斜角度を保持できな
くなるおそれがある。
【００２２】
そこで、本発明では、各ウォームギアの進み角が１７°〜２５°（好ましくは２０°〜
２２°）に設定されると共に、その進み角に対応してウォームホイールの捩じれ角が設定
されるようにしており、これによって、表示パネルを比較的小さな力で容易に回動させる
ことができると共に、その表示パネルが所定の傾斜角度を保持して不測に倒れないように
することができる。
【発明を実施するための最良の形態】
【００２３】
図１〜図５は本発明の実施の一形態であるＤＶＤプレーヤを示すものであって、装置本
体３の上面後部両側に左右一対の起立部３ａが一体形成され、表示パネル５の後部に一体
突設した突出部５ａが前記両起立部３ａ間に挿入され、該各起立部３ａ内に配置した軸受
１２から突出部５ａの両側面に形成した軸孔１３に左右一対の支軸１４をそれぞれ挿通す
ることにより、その両支軸１４回りで表示パネル５が回動可能に形成され、装置本体３と
表示パネル５との間にウォームギア機構１５が設けられている。上記以外の構成は図６に
示す構成とほぼ同じであるから、同一部分に同一符号を付してその説明を省略する。
【００２４】
前記ウォームギア機構１５は、各支軸１４と一体または別体で該各支軸１４に同心状に
設けられて突出部５ａの両側面にビス１６により止着された左右一対のウォームホイール
１５Ａと、装置本体３内の軸受１７に回転可能に支持されて各ウォームホイール１５Ａに
噛合する左右一対のウォームギア１５Ｂとからなっている。
【００２５】
上記構成において、両支軸１４を中心に表示パネル５を回動させてウォームギア機構１
５のウォームホイール１５Ａとウォームギア１５Ｂとの間の摩擦力に抗して所定の傾斜角
度で起立させ、開閉操作釦８を操作して開閉蓋７を開放し、ターンテーブル１にディスク
Ｄをセットすると共に、電源釦１０をオン状態とし、各種操作釦を操作することにより、
スピンドルモータ１ａによりターンテーブル１を介してディスクＤを高速回転させ、該デ
ィスクＤに記録されている映像を光ピックアップ２で読み取って液晶ディスプレイ４に再
生する。
【００２６】
上記構成によれば、表示パネル５を所定の傾斜角度で保持するためにウォームギア機構
１５を用いており、その部品点数が少なく、しかも、表示パネル５を装置本体３に支軸１
４を介して連結する際に、ウォームギア機構１５のウォームホイール１５Ａとウォームギ
ア１５Ｂとを互いに噛合させるだけでよいから、その組立作業を迅速容易に行うことがで
き、製作費が安くつく。
【００２７】
また、ウォームホイール１５Ａとウォームギア１５Ｂとを面接触させて摩擦力を発生さ
せており、表示パネル５を長期にわたって繰り返し回動させても、その両者１５Ａ，１５
Ｂ間の摩擦力がほぼ一定に維持されてほとんど低下しないから、表示パネル５を長期にわ
たって所定の傾斜角度で保持して不測に倒れないようにすることができる。
【００２８】
更に、左右一対のウォームホイール１５Ａとウォームギア１５Ｂとにより表示パネル５
が両側から挟まれているので、その表示パネル５を支軸１４回りで円滑に回動させること
ができると共に、その表示パネル５が所定の傾斜角度で安定して保持される。
【００２９】
ここで、各ウォームギア１５Ｂの進み角γが１７°未満では、ウォームホイール１５Ａ
とウォームギア１５Ｂとの間の摩擦力が大きくなるので、表示パネル５を所定の傾斜角度
で保持して不測に倒れないようにすることができるが、表示パネル５を回動させるのに大
きな力が必要となりその回動操作が面倒である。
【００３０】
前記各ウォームギア１５Ｂの進み角γが２５°を超える場合には、ウォームホイール１
５Ａとウォームギア１５Ｂとの間の摩擦力が小さいので、表示パネル５を小さな力で容易
に回動させることができるが、表示パネル５を長期に渡って繰り返し回動させることによ
り、摩擦力が低下して、所定の傾斜角度まで回動させた表示パネル５が不測に倒れてその
所定の傾斜角度を保持できなくなるおそれがある。
【００３１】
そこで、この実施の形態では、各ウォームギア１５Ｂの進み角γが１７°〜２５°（好
ましくは２０°〜２２°）に設定されると共に、その進み角γに対応してウォームホイー
ル１５Ａの捩じれ角が設定されるようにしており、これによって、表示パネル５を比較的
小さな力で容易に回動させることができると共に、その表示パネル５が所定の傾斜角度を
保持して不測に倒れないようにすることができる。
【産業上の利用可能性】
【００３２】
上記実施の形態では、ＤＶＤプレーヤを例にあげて説明したが、これに限定されるわけ
ではなく、例えばＤＶＤレコーダやＣＤプレーヤなどの各種のディスク装置にも適用され
る。
【図面の簡単な説明】
【００３３】
【図１】本発明の実施の一形態であるＤＶＤプレーヤを示す斜視図である。
【図２】同正面図である。
【図３】同側面図である。
【図４】同要部の拡大縦断面図である。
【図５】同要部の拡大横断面図である。
【図６】従来例を示す斜視図である。
【符号の説明】
【００３４】
１        ターンテーブル
２        光ピックアップ
３        装置本体
４        液晶ディスプレイ
５        表示パネル
６        トルクヒンジ
１４      支軸
１５      ウォームギア機構
１５Ａ    ウォームホイール
１５Ｂ    ウォームギア
Ｄ        ディスク
γ        進み角
【図１】
2006018960.tif 000003
【図２】
2006018960.tif 000004
【図３】
2006018960.tif 000005
【図４】
2006018960.tif 000006
【図５】
2006018960.tif 000007
【図６】
2006018960.tif 000008